【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  前立腺の血管系に選択的にホーミングするペプチド。
【請求項２】  ＳＭＳＩＡＲＬ（配列番号２１）、ＶＳＦＬＥＹＲ（配列番号２２）およびＲＧＲＷＬＡＬ（配列番号２７９）からなる群から選択される、請求項１に記載のペプチド。
【請求項３】  部分に連結された請求項１に記載のペプチドを含む、結合体。
【請求項４】  前記部分が、治療的薬剤、検出可能な薬剤およびタグからなる群から選択される、請求項３に記載の結合体。
【請求項５】  前立腺を同定する方法であって、該方法が以下の工程：
ａ）組織または器官を、請求項１に記載のペプチドと接触する工程；および
ｂ）該ペプチドの該器官または該組織への結合を検出する工程であって、それにより、該器官または該組織を前立腺として同定する、工程、
を包含する、方法。
【請求項６】  前立腺により発現される標的分子を同定する方法であって、該方法が、請求項５に記載の方法を包含し、さらに、以下の工程：
ｃ）前記前立腺のサンプルを得る工程；および
ｄ）前記ペプチドにより結合される該標的分子を同定する工程、
を包含する、方法。
【請求項７】  以下のアミノ酸配列を有する肺ホーミングペプチドであって：
Ｘ1−Ｇ−Ｆ−Ｅ−Ｘ2（配列番号１７）
ここで、Ｘ1およびＸ2の各々は、独立的して選択される１〜１０個のアミノ酸である、肺ホーミングペプチド。
【請求項８】  ＣＧＦＥＣＶＲＱＣＰＥＲＣ（配列番号１）およびＣＧＦＥＬＥＴＣ（配列番号２）からなる群から選択される、請求項７に記載の肺ホーミングペプチド。
【請求項９】  ＣＴＬＲＤＲＮＣ（配列番号１５）およびＣＩＧＥＶＥＶＣ（配列番号１６）からなる群から選択される、肺ホーミングペプチド。
【請求項１０】  ＣＬＡＫＥＮＶＶＣ（配列番号１３）、ＣＶＧＮＬＳＭＣ（配列番号３７）、ＣＫＧＱＲＤＦＣ（配列番号３９）、ＣＮＭＧＬＴＲＣ（配列番号４１）、ＣＨＥＧＹＬＴＣ（配列番号４２）、ＣＬＲＰＹＬＮＣ（配列番号４５）、ＣＭＥＬＳＫＱＣ（配列番号４７）、ＣＬＦＳＤＥＮＣ（配列番号５２）、ＣＷＲＧＤＲＫＩＣ（配列番号５６）、ＣＭＳＷＤＡＶＳＣ（配列番号６４）、ＣＫＷＳＲＬＨＳＣ（配列番号６５）、ＣＴＶＮＥＡＹＫＴＲＭＣ（配列番号７５）、ＣＲＬＲＳＹＧＴＬＳＬＣ（配列番号７６）、ＣＲＰＷＨＮＱＡＨＴＥＣ（配列番号８２）、ＣＳＥＡＡＳＲＭＩＧＶＣ（配列番号８４）、ＣＷＥＥＨＰＳＩＫＷＷＣ（配列番号８５）、ＣＧＶＧＣＰＧＬＣＧＧＡＣ（配列番号１０４）およびＣＧＧＡＣＧＧＶＣＴＧＧＣ（配列番号１１４）からなる群から選択される、肺ホーミングペプチド。
【請求項１１】  部分に連結された請求項７、請求項８、請求項９または請求項１０に記載の肺ホーミング分子を含む、結合体。
【請求項１２】  前記部分が、治療的薬剤、検出可能な薬剤およびタグからなる群から選択される、請求項１１に記載の結合体。
【請求項１３】  肺を同定する方法であって、該方法が以下の工程：
ａ）組織または器官を、請求項７、請求項８、請求項９または請求項１０に記載の肺ホーミングペプチドと接触する工程；および
ｂ）該肺ホーミングペプチドの該器官または該組織への結合を検出する工程であって、それにより、該器官または該組織を肺として同定する、工程、
を包含する、方法。
【請求項１４】  肺により発現される標的分子を同定する方法であって、該方法が、請求項１３に記載の方法を包含し、さらに、以下の工程：
ｃ）該肺のサンプルを得る工程；および
ｄ）前記肺ホーミングペプチドにより結合される該標的分子を同定する工程、を包含する、方法。
【請求項１５】  皮膚の血管系に選択的にホーミングするペプチド。
【請求項１６】  アミノ酸配列ＣＶＡＬＣＲＥＡＣＧＥＧＣ（配列番号３）を有する、請求項１５に記載のペプチド。
【請求項１７】  ＣＷＮＩＣＰＧＧＣＲＡＬＣ（配列番号１７５）、ＣＫＧＴＣＶＬＧＣＳＥＥＣ（配列番号１７７）、ＣＳＳＧＣＳＫＮＣＬＥＭＣ（配列番号１８１）、ＣＡＶＲＣＤＧＳＣＶＰＥＣ（配列番号１８４）およびＣＧＧＧＣＱＷＧＣＡＧＥＣ（配列番号１９１）からなる群から選択される、請求項１５に記載のペプチド。
【請求項１８】  部分に連結された請求項１５に記載のペプチドを含む、結合体。
【請求項１９】  前記部分が、治療的薬剤、検出可能な薬剤およびタグからなる群から選択される、請求項１８に記載の結合体。
【請求項２０】  皮膚を同定する方法であって、該方法が以下の工程：
ａ）組織または器官を、請求項１５に記載のペプチドと接触させる工程；および
ｂ）該ペプチドの該器官または該組織への結合を検出する工程であって、それにより、該器官または該組織を皮膚として同定する、工程、
を包含する、方法。
【請求項２１】  皮膚により発現される標的分子を同定する方法であって、該方法が、請求項２０に記載の方法を包含し、さらに、以下の工程：
ｃ）該皮膚のサンプルを得る工程；および
ｄ）前記ペプチドにより結合される該標的分子を同定する工程、
を包含する、方法。
【請求項２２】  網膜の血管系に選択的にホーミングするペプチド。
【請求項２３】  以下のアミノ酸配列を有する、請求項２２に記載のペプチドであって：
Ｘ1−Ｒ−Ｄ−Ｖ−Ｘ2（配列番号３２）
ここで、Ｘ1およびＸ2の各々は、独立的して選択される１〜１０個のアミノ酸である、ペプチド。
【請求項２４】  ＣＳＣＦＲＤＶＣＣ（配列番号５）およびＣＲＤＶＶＳＶＩＣ（配列番号６）からなる群から選択される、請求項２３に記載のペプチド。
【請求項２５】  ＣＧＥＦＫＶＧＣ（配列番号１４）、ＣＭＤＳＱＳＳＣ（配列番号２２８）、ＣＮＱＲＴＮＲＥＳＧＮＣ（配列番号２３１）、ＣＬＬＮＹＴＹＣ（配列番号２３８）、ＣＱＡＳＡＳＤＨＣ（配列番号２４２）、ＣＶＴＳＮＬＲＶＣ（配列番号２５０）およびＣＲＡＲＩＲＡＥＤＩＳＣ（配列番号２６３）からなる群から選択される、請求項２２に記載のペプチド。
【請求項２６】  部分に連結された請求項２２に記載のペプチドを含む、結合体。
【請求項２７】  前記部分が、治療的薬剤、検出可能な薬剤およびタグからなる群から選択される、請求項２６に記載の結合体。
【請求項２８】  網膜を同定する方法であって、該方法が以下の工程：
ａ）組織または器官を、請求項２２に記載のペプチドと接触する工程；および
ｂ）該ペプチドの該器官または該組織への結合を検出する工程であって、それにより、該器官または該組織を網膜として同定する、工程、
を包含する、方法。
【請求項２９】  網膜により発現される標的分子を同定する方法であって、該方法が、請求項２８に記載の方法を包含し、さらに、以下の工程：
ｃ）前記網膜のサンプルを得る工程；および
ｄ）前記ペプチドにより結合される該標的分子を同定する工程、
を包含する、方法。
【請求項３０】  膵臓の血管系に選択的にホーミングするペプチド。
【請求項３１】  アミノ酸配列ＳＷＣＥＰＧＷＣＲ（配列番号４）を有する、請求項３０に記載のペプチド。
【請求項３２】  アミノ酸配列ＧＬＣＮＧＡＴＣＭ（配列番号１２３）を有する、請求項３０に記載のペプチド。
【請求項３３】  部分に連結された請求項３０に記載のペプチドを含む、結合体。
【請求項３４】  前記部分が、治療的薬剤、検出可能な薬剤およびタグからなる群から選択される、請求項３３に記載の結合体。
【請求項３５】  膵臓を同定する方法であって、該方法が以下の工程：
ａ）組織または器官を、請求項３０に記載のペプチドと接触させる工程；および
ｂ）該ペプチドの該器官または該組織への結合を検出する工程であって、それにより、該器官または該組織を膵臓として同定する、工程、
を包含する、方法。
【請求項３６】  膵臓により発現される標的分子を同定する方法であって、該方法が、請求項３５に記載の方法を包含し、さらに、以下の工程：
ｃ）前記膵臓のサンプルを得る工程；および
ｄ）前記ペプチドにより結合される該標的分子を同定する工程、
を包含する、方法。
【請求項３７】  腸の血管系に選択的にホーミングするペプチド。
【請求項３８】  以下のアミノ酸配列を有する、請求項３７に記載のペプチドであって：
Ｙ−Ｓ−Ｇ−Ｋ−Ｗ−Ｘ1（配列番号４３３）
ここで、Ｘ1は、独立して選択される１〜１０個のアミノ酸である、ペプチド。
【請求項３９】  ＹＳＧＫＷＧＧ（配列番号９）およびＹＳＧＫＷＧＷ（配列番号１５６）からなる群から選択される、請求項３８に記載のペプチド。
【請求項４０】  以下のアミノ酸配列を有する、請求項３７に記載のペプチドであって：
Ｘ1−Ｒ−Ｇ−Ｓ−Ｘ2（配列番号４３４）
ここで、Ｘ1およびＸ2の各々は、独立して選択される１〜１０個のアミノ酸である、ペプチド。
【請求項４１】  ＶＲＲＧＳＰＧ（配列番号１６４）、ＧＧＲＧＳＷＥ（配列番号１６７）およびＦＲＶＲＧＳＰ（配列番号１６９）からなる群から選択される、請求項４０に記載のペプチド。
【請求項４２】  ＹＡＧＦＦＬＶ（配列番号１５０）、ＳＲＲＱＰＬＳ（配列番号１５３）、ＭＳＰＱＬＡＴ（配列番号１５９）、ＷＩＥＥＡＥＲ（配列番号１６１）およびＧＩＳＡＶＬＳ（配列番号１６６）からなる群から選択されるアミノ酸配列を有する、請求項３７に記載のペプチド。
【請求項４３】  部分に連結された請求項３７に記載のペプチドを含む、結合体。
【請求項４４】  前記部分が、治療的薬剤、検出可能な薬剤およびタグからなる群から選択される、請求項４３に記載の結合体。
【請求項４５】  腸を同定する方法であって、該方法が以下の工程：
ａ）組織または器官を、請求項３７に記載のペプチドと接触させる工程；および
ｂ）該ペプチドの該器官または該組織への結合を検出する工程であって、それにより、該器官または該組織を腸として同定する、工程、
を包含する、方法。
【請求項４６】  腸により発現される標的分子を同定する方法であって、該方法が、請求項４５に記載の方法を包含し、さらに、以下の工程：
ｃ）該腸のサンプルを得る工程；および
ｄ）前記ペプチドにより結合される該標的分子を同定する工程、
を包含する、方法。
【請求項４７】  卵巣の血管系に選択的にホーミングするペプチド。
【請求項４８】  ＥＶＲＳＲＬＳ（配列番号１０）およびＲＶＧＬＶＡＲ（配列番号１１）からなる群から選択される、請求項４７に記載のペプチド。
【請求項４９】  部分に連結された請求項４７に記載のペプチドを含む、結合体。
【請求項５０】  前記部分が、治療的薬剤、検出可能な薬剤およびタグからなる群から選択される、請求項４９に記載の結合体。
【請求項５１】  卵巣を同定する方法であって、該方法が以下の工程：
ａ）組織または器官を、請求項４７に記載のペプチドと接触させる工程；および
ｂ）該ペプチドの該器官または該組織への結合を検出する工程であって、それにより、該器官または該組織を卵巣として同定する、工程、
を包含する、方法。
【請求項５２】  卵巣により発現される標的分子を同定する方法であって、該方法が、請求項５１に記載の方法を包含し、さらに、以下の工程：
ｃ）該卵巣のサンプルを得る工程；および
ｄ）前記ペプチドにより結合される該標的分子を同定する工程、
を包含する、方法。
【請求項５３】  副腎の血管系に選択的にホーミングするペプチド。
【請求項５４】  以下のアミノ酸配列を有する、請求項５３に記載のペプチドであって：
Ｘ1−Ｌ−Ｐ−Ｒ−Ｘ2（配列番号４３１）
ここで、Ｘ1およびＸ2の各々は、独立して選択される１〜１０個のアミノ酸である、ペプチド。
【請求項５５】  ＬＭＬＰＲＡＤ（配列番号２７）およびＬＰＲＹＬＬＳ（配列番号２８）からなる群から選択される、請求項５４に記載のペプチド。
【請求項５６】  以下のアミノ酸配列を有する、請求項５３に記載のペプチドであって：
Ｘ1−Ｌ−Ａ−Ｇ−Ｇ−Ｘ2（配列番号４３２）
ここで、Ｘ1は、独立して選択される１〜１０個のアミノ酸であり、ここで、Ｘ2は、独立して選択される０〜１０個のアミノ酸である、ペプチド。
【請求項５７】  Ｒ（Ｙ／Ｆ）ＬＬＡＧＧ（配列番号４０４）およびＲＹＰＬＡＧＧ（配列番号３８９）からなる群から選択される、請求項５６に記載のペプチド。
【請求項５８】  ＦＳＤＶＨＦＷ（配列番号３８１）およびＧＹＶＡＶＭＴ（配列番号４００）からなる群から選択される、請求項５３に記載のペプチド。
【請求項５９】  部分に連結された請求項５３に記載のペプチドを含む、結合体。
【請求項６０】  前記部分が、治療的薬剤、検出可能な薬剤およびタグからなる群から選択される、請求項５９に記載の結合体。
【請求項６１】  副腎を同定する方法であって、該方法が以下の工程：
ａ）組織または器官を、請求項５３に記載のペプチドと接触させる工程；および
ｂ）該ペプチドの該器官または該組織への結合を検出する工程であって、それにより、該器官または該組織を副腎として同定する、工程、
を包含する、方法。
【請求項６２】  副腎により発現される標的分子を同定する方法であって、該方法が、請求項６１に記載の方法を包含し、さらに、以下の工程：
ｃ）該副腎のサンプルを得る工程；および
ｄ）前記ペプチドにより結合される該標的分子を同定する工程、
を包含する、方法。
【請求項６３】  肝臓の血管系に選択的にホーミングするペプチド。
【請求項６４】  ＶＫＳＶＣＲＴ（配列番号１２）、ＳＲＲＦＶＧＧ（配列番号４０６）、ＶＧＳＦＩＹＳ（配列番号４１１）およびＷＲＱＮＭＰＬ（配列番号４１８）からなる群から選択される、請求項６３に記載のペプチド。
【請求項６５】  部分に連結された請求項６３に記載のペプチドを含む、結合体。
【請求項６６】  前記部分が、治療的薬剤、検出可能な薬剤およびタグからなる群から選択される、請求項６５に記載の結合体。
【請求項６７】  肝臓を同定する方法であって、該方法が以下の工程：
ａ）組織または器官を、請求項６３に記載のペプチドと接触させる工程；および
ｂ）該ペプチドの該器官または該組織への結合を検出する工程であって、それにより、該器官または該組織を肝臓として同定する、工程、
を包含する、方法。
【請求項６８】  肝臓により発現される標的分子を同定する方法であって、該方法が、請求項６７に記載の方法を包含し、さらに、以下の工程：
ｃ）該肝臓のサンプルを得る工程；および
ｄ）前記ペプチドにより結合される該標的分子を同定する工程、
を包含する、方法。
【請求項６９】  ＡＧＣＳＶＴＶＣＧ（配列番号３１５）、ＧＳＣＳＭＦＰＣＳ（配列番号３１７）、ＳＥＣＡＹＲＡＣＳ（配列番号３１９）、ＷＳＣＡＲＰＬＣＧ（配列番号３２０）、ＧＬＣＱＩＤＥＣＲ（配列番号３２９）、ＤＲＣＬＤＩＷＣＬ（配列番号３３１）、ＰＬＣＭＡＴＲＣＡ（配列番号３３３）、ＲＤＣＳＨＲＳＣＥ（配列番号３３４）、ＮＰＣＬＲＡＡＣＩ（配列番号３３５）、ＰＴＣＡＹＧＷＣＡ（配列番号３３６）、ＬＥＣＶＡＮＬＣＴ（配列番号３３７）、ＲＫＣＧＥＥＶＣＴ（配列番号３３８）、ＥＰＣＴＷＮＡＣＬ（配列番号３３９）およびＱＱＣＱＤＰＹＣＬ（配列番号３４４）からなる群から選択される、リンパ節ホーミングペプチド。
【請求項７０】  部分に連結された請求項６９に記載のペプチドを含む、結合体。
【請求項７１】  前記部分が、治療的薬剤、検出可能な薬剤およびタグからなる群から選択される、請求項７０に記載の結合体。
【請求項７２】  リンパ節を同定する方法であって、該方法が以下の工程：
ａ）組織または器官を、請求項６９に記載のペプチドと接触させる工程；および
ｂ）該ペプチドの該器官または該組織への結合を検出する工程であって、それにより、該器官または該組織をリンパ節として同定する、工程、
を包含する、方法。
【請求項７３】  リンパ節により発現される標的分子を同定する方法であって、該方法が、請求項７２に記載の方法を包含し、さらに、以下の工程：
ｃ）該リンパ節のサンプルを得る工程；および
ｄ）前記ペプチドにより結合される該標的分子を同定する工程、
を包含する、方法。
【請求項７４】  肺内皮細胞に選択的にホーミングする、ＭＤＰ−結合ホーミング分子を同定する方法であって、該方法が以下の工程：
ａ）膜ジペプチダーゼ（ＭＤＰ）を１以上の分子に接触させる工程；および
ｂ）分子の該ＭＤＰへの特異的な結合を決定する工程、
を包含し、
ここで、特異的結合の存在が、肺内皮細胞に選択的にホーミングするＭＤＰ−結合ホーミング分子として、該分子を同定する、方法。
【請求項７５】  前記ＭＤＰが、実質的に精製されている、請求項７４に記載の方法。
【請求項７６】  前記実質的に精製されたＭＤＰが、支持体に固定されている、請求項７５に記載の方法。
【請求項７７】  前記ＭＤＰが、配列番号４４８を有するヒトＭＤＰである請求項７４に記載の方法。
【請求項７８】  被験体において、部分を肺内皮細胞に選択的に指向するための組成物であって、請求項７４に記載の方法によって同定されたＭＤＰ−結合ホーミング分子に連結された部分を有する結合体を含み、
それにより、該被験体において、該部分が肺内皮細胞に選択的に指向されるように該結合体が配合される、組成物。
【請求項７９】  前記ＭＤＰ−結合ホーミング分子が、以下の配列：
Ｘ1−Ｇ−Ｆ−Ｅ−Ｘ2（配列番号１７）
ここで、Ｘ1およびＸ2の各々は、独立的に選択される１〜１０個のアミノ酸を含むペプチドである、請求項７８に記載の組成物。
【請求項８０】  前記ＭＤＰ−結合ホーミングペプチドが、ＣＧＦＥＣＶＲＱＣＰＥＲＣ（配列番号１）およびＣＧＦＥＬＥＴＣ（配列番号２）からなる群から選択される配列を含む、請求項７９に記載の組成物。
【請求項８１】  前記ＭＤＰ−結合ホーミング分子が、以下の構造１：
【化１】
2002506079.tif 000001
、または薬学的に受容可能な陽イオンを包含し、ここで、Ｒ2およびＲ3は、それぞれ、３〜１０個の炭素原子および１〜１５個の炭素原子の範囲の炭化水素ラジカルであり；これらのＲ2炭化水素鎖もしくはＲ3炭化水素鎖のいずれか１つにおける１〜６個の水素が、ハロゲンによって置換されていてもよいか、または非末端メチレンが酸素もしくは酸化型形態を含む硫黄によって置換されてもよく；さらに、Ｒ3の末端水素もまたヒドロキシル基もしくはチオール基によって置換されていてもよく、そのヒドロキシル基もしくはチオール基は、アシル化もしくはカルバモイル化されていてもよく；あるいは、該水素はアミノ基によって置換されていてもよく、このアミノ基はアシルアミノ基、ウレイド基、アミジノ基、クアニジノ基もしくはアルキル基、または置換されたアミノ基におけるように誘導体化されていてもよく、四級窒素基を含み；あるいは、カルボン酸基、ホスホン酸基もしくはスルホン酸基のような酸性基、またはそれらのエステルもしくはアミドまたはシアノ；あるいは末端アミノ酸基のようなそれらの組み合わせにより置換されていてもよく；そしてＲ1は、水素もしくは低級アルキル（Ｃ1-6）もしくはジアルキルアミノアルキルである、請求項７８に記載の組成物。
【請求項８２】  前記ＭＤＰ−結合ホーミング分子が、７−（Ｌ−２−アミノ−２−カルボキシエチルチオ）−２−（２，２−ジメチルシクロプロパンカルボキサミド）−２−ヘプテン酸である、請求項８１に記載の組成物。
【請求項８３】  前記Ｒ2が、カルボニルに隣接した炭素が第三級ではないというように限定された、分枝したアルキルまたはシクロアルキルである、請求項８１に記載の組成物。
【請求項８４】  前記Ｒ3が、第四級窒素、アミン誘導体もしくはアミノ酸誘導基である末端置換基を有する、ｎ−アルキル（１〜９個の炭素）もしくはｎ−アルキル（１〜９個の炭素）である、請求項８３に記載の組成物。
【請求項８５】  前記Ｒ2が、２，２−ジメチルシクロプロピルもしくは２，２−ジクロロシクロプロピルであり、そして前記Ｒ3が、末端置換基を有さないか、またはトリメチルアンモニウム、アミジノ、グアニジノ、もしくは２−アミノ−２−カルボエチルチオである末端置換基を有する、３〜７個の炭素原子の炭化水素鎖である、請求項８４に記載の組成物。
【請求項８６】  前記ＭＤＰ−結合ホーミング分子が、以下：
Ｚ−２−（２，２−ジメチルシクロプロパンカルボキサミド）−８−トリメチルアンモニウムヒドロキシド−２−オクテン酸内部塩；
Ｚ−２−（２，２−ジクロロシクロプロパンカルボキサミド）−８−トリメチルアンモニウムヒドロキシド−２−オクテン酸内部塩；
Ｚ−２−（２，２−ジメチルシクロプロパンカルボキサミド）−８−グアニジノ−２−オクテン酸；
Ｚ−２−（２，２−ジメチルシクロプロパンカルボキサミド）−８−グアニジノ−２−オクテン酸；
Ｚ−２−（２，２−ジメチルシクロプロパンカルボキサミド）−８−ウレイド−２−オクテン酸；
Ｚ−８−（１−２−アミノ−２−カルボキシエチルチオ）−２−（２，２−ジメチルシクロプロパンカルボキサミド）−２−オクテン酸；
Ｚ−２−（２，２−ジメチルシクロプロパンカルボキサミド）−２−オクテン酸（ラセミ形および右旋性形）；
Ｚ−２−（２，２−ジクロロシクロプロパンカルボキサミド）−２−オクテン酸；
７−（Ｌ−２−アミノ−２−カルボキシエチルチオ）−２−（２，２−ジメチルシクロプロパンカルボキサミド）−２−へプテン酸；および
６−（Ｌ−２−アミノ−２−カルボキシエチルチオ）−２−（２，２−ジメチルクロロプロパンカルボキサミド）−２−ヘキセン酸、
からなる群から選択される、請求項８５に記載の組成物。
【請求項８７】  前記部分が遺伝子治療ベクターである、請求項７８に記載の組成物。
【請求項８８】  前記部分が薬物である、請求項７８に記載の組成物。
【請求項８９】  癌を有する被験体において、肺転移を減少または防止するための組成物であって、膜ジペプチダーゼ（ＭＤＰ）−結合ホーミング分子を含む、組成物。
【請求項９０】  前記ＭＤＰ−結合ホーミング分子が、以下の配列：
Ｘ1−Ｇ−Ｆ−Ｅ−Ｘ2（配列番号１７）
を含む肺ホーミングペプチドであり、ここで、Ｘ1およびＸ2の各々は、独立して選択される１〜１０個のアミノ酸である、請求項８９に記載の組成物。
【請求項９１】  前記ＭＤＰ−結合ホーミングペプチドが、ＣＧＦＥＣＶＲＱＣＰＥＲＣ（配列番号１）およびＣＧＦＥＬＥＴＣ（配列番号２）からなる群から選択される配列を含む、請求項９０に記載の組成物。
【請求項９２】  前記ＭＤＰ−結合ホーミングペプチドが、ＣＧＦＥＣＶＲＱＣＰＥＲＣ（配列番号１）およびＣＧＦＥＬＥＴＣ（配列番号２）からなる群から選択されるペプチドである、請求項９１に記載の組成物。
【請求項９３】  前記ＭＤＰ−結合ホーミング分子が、以下の構造１：
【化２】
2002506079.tif 000002
、または薬学的に受容可能な陽イオンを包含し、ここで、Ｒ2およびＲ3は、それぞれ、３〜１０個の炭素原子および１〜１５個の炭素原子の範囲の炭化水素ラジカルであり；これらのＲ2炭化水素鎖もしくはＲ3炭化水素鎖のいずれか１つにおける１〜６個の水素がハロゲンによって置換されていてもよい、または非末端メチレンが酸素もしくは酸化型形態を含む硫黄によって置換されていてもよく；さらに、Ｒ3の末端水素もまたヒドロキシル基もしくはチオール基によって置換されていてもよく、これらのヒドロキシル基もしくはチオール基は、アシル化もしくはカルバモイル化されていてもよく；あるいは、該水素はアミノ基によって置換されていてもよく、このアミノ基はアシルアミノ基、ウレイド基、アミジノ基、クアニジノ基、もしくはアルキル基、または置換されたアミノ基におけるように誘導体化されていてもよく、第四級窒素基を含み；あるいは、カルボン酸基、ホスホン酸基もしくはスルホン酸基のような酸性基、またはそれらのエステルもしくはアミド、またはシアノ；あるいは末端アミノ酸基のようなそれらの組み合わせにより置換されていてもよく；そしてＲ1は、水素もしくは低級アルキル（Ｃ1-6）もしくはジアルキルアミノアルキルである、請求項８９に記載の組成物。
【請求項９４】  前記ＭＤＰ−結合ホーミング分子が、７−（Ｌ−２−アミノ−２−カルボキシエチルチオ）−２−（２，２−ジメチルシクロプロパンカルボキサミド）−２−ヘプテン酸である、請求項９３に記載の組成物。
【請求項９５】  前記Ｒ2が、カルボニルに隣接した炭素が第三級ではないというように限定された、分枝したアルキルまたはシクロアルキルである、請求項９３に記載の組成物。
【請求項９６】  前記Ｒ3が、第四級窒素、アミン誘導体もしくはアミノ酸誘導基である末端置換基を有する、ｎ−アルキル（１〜９個の炭素）もしくはｎ−アルキル（１〜９個の炭素）である、請求項９５に記載の組成物。
【請求項９７】  前記Ｒ2が、２，２−ジメチルシクロプロピルもしくは２，２−ジクロロシクロプロピルであり、前記Ｒ3が、末端置換基を有さないか、またはトリメチルアンモニウム、アミジノ、グアニジノもしくは２−アミノ−２−カルボエチルチオである末端置換基を有する、３〜７個の炭素原子の炭化水素鎖である、請求項９６に記載の組成物。
【請求項９８】  前記ＭＤＰ−結合ホーミング分子が、以下：
Ｚ−２−（２，２−ジメチルシクロプロパンカルボキサミド）−８−トリメチルアンモニウムヒドロキシド−２−オクテン酸内部塩；
Ｚ−２−（２，２−ジクロロシクロプロパンカルボキサミド）−８−トリメチルアンモニウムヒドロキシド−２−オクテン酸内部塩；
Ｚ−２−（２，２−ジメチルシクロプロパンカルボキサミド）−８−グアニジノ−２−オクテン酸；
Ｚ−２−（２，２−ジメチルシクロプロパンカルボキサミド）−８−グアニジノ−２−オクテン酸；
Ｚ−２−（２，２−ジメチルシクロプロパンカルボキサミド）−８−ウレイド−２−オクテン酸；
Ｚ−８−（１−２−アミノ−２−カルボキシエチルチオ）−２−（２，２−ジメチルシクロプロパンカルボキサミド）−２−オクテン酸；
Ｚ−２−（２，２−ジメチルシクロプロパンカルボキサミド）−２−オクテン酸（ラセミ形および右旋性形）；
Ｚ−２−（２，２−ジクロロシクロプロパンカルボキサミド）−２−オクテン酸；
７−（Ｌ−２−アミノ−２−カルボキシエチルチオ）−２−（２，２−ジメチルシクロプロパンカルボキサミド）−２−へプテン酸；および
６−（Ｌ−２−アミノ−２−カルボキシエチルチオ）−２−（２，２−ジメチルクロロプロパンカルボキサミド）−２−ヘキセン酸、
からなる群から選択される、請求項９７に記載の組成物。
【請求項９９】  前記ＭＤＰ−結合ホーミング分子が、ＭＤＰインヒビターである、請求項８９に記載の組成物。
【請求項１００】  前記ＭＤＰインヒビターが、高くとも１０００ｎＭのＭＤＰに対するＫｉを示す、請求項９９に記載の組成物。
【請求項１０１】  前記ＭＤＰインヒビターが、高くとも１００ｎＭのＭＤＰに対するＫｉを示す、請求項１００に記載の組成物。
【請求項１０２】  前記ＭＤＰインヒビターが、高くとも１ｎＭのＭＤＰに対するＫｉを示す、請求項１０１に記載の組成物。
【請求項１０３】  前記癌が黒色腫である、請求項８９に記載の組成物。
【請求項１０４】  癌を有する被験体において、肺転移を減少または防止するための組成物であって、膜ジペプチダーゼ（ＭＤＰ）陰性調節因子を含む、組成物。
【請求項１０５】  前記ＭＤＰ陰性調節因子が可溶性ＭＤＰポリペプチドである、請求項１０４に記載の組成物。
【請求項１０６】  前記ＭＤＰ陰性調節因子がＭＤＰと選択的に反応する抗体である、請求項１０４に記載の組成物。
【請求項１０７】  被験体において、肺内皮細胞への細胞ホーミングを減少または防止するための組成物であって、膜ジペプチダーゼ（ＭＤＰ）陰性調節因子を含む、組成物。
【請求項１０８】  前記ＭＤＰ陰性調節因子が可溶性ＭＤＰポリペプチドである、請求項１０７に記載の組成物。
【請求項１０９】  前記ＭＤＰ陰性調節因子がＭＤＰと選択的に反応する抗体である、請求項１０７に記載の組成物。
【請求項１１０】  肺転移を減少または防止する分子を同定する方法であって、該方法が以下の工程：
ａ）膜ジペプチダーゼ（ＭＤＰ）を１以上の分子と接触させる工程；および
ｂ）該分子の存在下でのＭＤＰ活性をコントロール値と比較して決定する工程、
を包含し、
ここで、該分子の存在下での減少したＭＤＰ活性は、該分子を肺転移を減少または防止する分子として同定する、方法。
【請求項１１１】  前記ＭＤＰが実質的に精製されている、請求項１１０に記載の方法。
【請求項１１２】  ＭＤＰ活性が、Ｇｌｙ−Ｄ−ＰｈｅからのＤ−Ｐｈｅの放出により決定される、請求項１１０に記載の方法。